(57)【要約】【課題】  健康を考慮した経路探索を行う携帯用ナビゲーション装置を提供する。【解決手段】  現在位置検出手段と地図データ記憶手段と経路探索手段と入力手段と速度算出手段と、を備えており、前記経路探索手段による経路探索時において、前記入力手段により当該携帯用ナビゲーション装置を所持する使用者が所望する目的地、及び歩行時間の入力を行うと、前記経路探索手段は、前記入力に基づく経路を探索することを特徴とする携帯用ナビゲーション装置。【選択図】図１
2008241416.tif 000002
【特許請求の範囲】
【請求項１】
経路探索に必要な地図データが記憶された地図データ記憶手段と、出発地から目的地までの経路を探索する経路探索手段と、移動時間の入力を行う時間入力手段と、を備え、
前記経路探索手段は、出発地から目的地までの移動時間が前記時間入力手段より入力された時間となる経路を探索することを特徴とするナビゲーション装置。
【請求項２】
前記ナビゲーション装置は、更に、移動速度を入力する速度入力手段を備え、
前記経路探索手段は、前記時間入力手段から入力された移動時間と前記速度入力手段から入力された移動時間に基づいて経路を探索することを特徴とする請求項１に記載のナビゲーション装置。
【請求項３】
前記ナビゲーション装置は、更に、所定時間毎に現在位置を検出する現在位置検出手段と、前記現在位置検出手段により検出された現在位置に基づいて移動速度を算出する速度算出手段と、該速度算出手段により算出された移動速度に基づいて平均移動速度を記憶する記憶手段と、を備え、
前記速度入力手段は、前記記憶手段に記憶された平均移動速度を移動速度として入力することを特徴とする請求項２に記載のナビゲーション装置。
【請求項４】
前記経路探索手段は、前記時間入力手段により移動時間が入力されなかった場合は、出発地から目的地までの最短時間の経路を探索することを特徴とする請求項１から３のいずれかに記載のナビゲーション装置。
【請求項５】
経路探索に必要な地図データが記憶された地図データ記憶手段と、出発地から目的地までの経路を探索する経路探索手段と、移動距離を入力する距離入力手段と、を備え、
前記経路探索手段は、出発地から目的地までの移動距離が前記距離入力手段により入力された距離となる経路を探索することを特徴とするナビゲーション装置。
【請求項６】
前記距離入力手段は、歩数と歩幅により移動距離を入力することを特徴とする請求項５に記載のナビゲーション装置。
【請求項７】
前記経路探索手段は、前記距離入力手段により移動距離が入力されなかった場合は出発地から目的地までの最短距離の経路を探索することを特徴とする請求項５または６に記載のナビゲーション装置。
【発明の詳細な説明】
【技術分野】
【０００１】
本発明は、使用者が入力した探索条件に基づき経路探索を行うナビゲーション装置に関する。
【背景技術】
【０００２】
近年、国民の健康への意識が高まってきており、店の店頭にはあらゆる種類の健康食品や健康グッズが並べられており、これらの食品、又はグッズを購入することで自身の健康管理を行う人が増加している。
【０００３】
また、ウォーキングやランニングといった運動を日課とすることで自身の健康管理を行う人も増加している。
【０００４】
このように、国民の健康への意識が高まってきた背景には、近年、食生活の乱れから生活習慣病にかかる人が増加しているためであり、生活習慣病の中でも現代人に多いといわれるのが肥満である。
【０００５】
この肥満が増えた原因として挙げられるのが、飲酒や外食、又はコンビ二の利用が増えたことなどが挙げられ、この肥満を放っておくと肝機能の障害にもつながってくるとされており深刻な問題となっている。
【０００６】
この肥満を解消するためには、ウォ−キングやランニングなど日々の適度な運動を行うことが効果的とされており、このようにウォ−キングやランニング等を行う人達を対象とした製品の開発が携帯用電子機器の分野においても進められている。
【０００７】
特許文献１（特開２００４−１０９１００）には、現在の位置や高度を測定可能な測地計と地図情報を利用して、移動にともなうカロリー消費量を計算することが可能で、目的のカロリー消費量を達成するための経路を提示することができるナビゲーションシステムが紹介されている。
【０００８】
上記特許文献１のナビゲーションシステムは、携帯端末とサーバとで構成されており、
携帯端末において現在地点と高度が求められ、携帯端末において求められた現在地点情報がサーバに送信されると、サーバ内における経路生成部において目的地までの経路が生成され、経路生成部において生成された経路が携帯端末に送信され携帯端末における表示部に表示される。
【０００９】
また、携帯端末におけるカロリー消費量計算部では、経路生成部において生成された経路において消費されるカロリーが算出され、算出されたカロリーが携帯端末における表示部に表示される。
【００１０】
これによりユーザは、自身が入力した目的地までの経路においてどれだけのカロリーを消費するかを把握することができるものである。
【特許文献１】特開２００４−１０９１００号公報
【発明の開示】
【発明が解決しようとする課題】
【００１１】
たしかに上記特許文献１では、ユーザが入力した目的地までの経路において消費されるカロリーを表示部に表示されるので、ユーザがウォ−キングやサイクリングを行うとき、自身が入力した目的地までの経路においてどれだけのカロリーが消費されるかを把握することができ、更に、入力した目的地までの経路の中で、最もカロリー消費が少ない経路の探索、又はユーザが目標のカロリー消費を達成する経路の探索、更に、一度生成した経路とは別の経路の探索など、複数の経路探索を選択することができるとしている。
【００１２】
しかしながら上記特許文献１では、使用者が所望する経路における消費カロリーと、ユーザ自身が目標としていた消費カロリーとに差があったとき、使用者が所望する経路とは異なる経路を歩行することになるので、休日などで時間に余裕があり、ウォーキング又は、サイクリングを主目的としている人であれば問題ないのだが、仕事の合間を見つけてウォ−キングを行おうと考えている人に配慮した発明とは言えない。
【００１３】
また、特許文献１は、携帯端末とサーバとで構成されており、携帯端末とサーバとが通信でデータの遣り取りを行うことで成り立つものである。
【００１４】
本発明のナビゲーション装置は、上記課題に鑑みなされたもので、携帯端末とサーバといった複雑な構成を必要とせず、また忙しい会社員など、日々の生活の中で運動をする時間を作ることが困難という人のために、場所を問わず空いた時間にウォ−キングを行う経路を使用者に提示することができるナビゲーション装置を提供することにある。
【課題を解決するための手段】
【００１５】
上記課題を解決するために本願発明のナビゲーション装置は、
経路探索に必要な地図データが記憶された地図データ記憶手段と、出発地から目的地までの経路を探索する経路探索手段と、移動時間の入力を行う時間入力手段と、を備え、
前記経路探索手段は、出発地から目的地までの移動時間が前記時間入力手段より入力された時間となる経路を探索することを特徴とするナビゲーション装置。
【００１６】
前記ナビゲーション装置は、更に、移動速度を入力する速度入力手段を備え、
前記経路探索手段は、前記時間入力手段から入力された移動時間と前記速度入力手段から入力された移動時間に基づいて経路を探索することを特徴とする。
【００１７】
前記ナビゲーション装置は、更に、所定時間毎に現在位置を検出する現在位置検出手段と、前記現在位置検出手段により検出された現在位置に基づいて移動速度を算出する速度算出手段と、該速度算出手段により算出された移動速度に基づいて平均移動速度を記憶する記憶手段と、を備え、
前記速度入力手段は、前記記憶手段に記憶された平均移動速度を移動速度として入力することを特徴とする。
【００１８】
前記経路探索手段は、前記時間入力手段により移動時間が入力されなかった場合は、出発地から目的地までの最短時間の経路を探索することを特徴とする。
【００１９】
経路探索に必要な地図データが記憶された地図データ記憶手段と、出発地から目的地までの経路を探索する経路探索手段と、移動距離を入力する距離入力手段と、を備え、
前記経路探索手段は、出発地から目的地までの移動距離が前記距離入力手段により入力された距離となる経路を探索することを特徴とする。
【００２０】
前記距離入力手段は、歩数と歩幅により移動距離を入力することを特徴とする。
【００２１】
前記経路探索手段は、前記距離入力手段により移動距離が入力されなかった場合は出発地から目的地までの最短距離の経路を探索することを特徴とする。
【発明の効果】
【００２２】
ナビゲーション装置は、地図データ記憶手段と、経路探索手段と、入力手段と、速度算出手段と、移動速度を記憶した記憶手段とを備えており、当該ナビゲーション装置を所持した使用者が前記入力手段を介して、目的地及び歩行時間の入力を行うと、経路探索手段は、目的地までの距離と記憶手段に記憶された移動速度に基づいて、使用者が入力した歩行時間で目的地に到着する経路を探索でき、これにより使用者が昼休み等の空いた時間を見つけてウォーキングをしたいと考えた場合、経路探索手段は、昼食をとった店から会社までの経路を使用者が入力した歩行時間で到着するような経路を探索するので、使用者は場所を問わず空いた時間を見つけてウォ−キングを行うことができ、使用者の健康管理に役立つという効果を奏する。
【産業上の利用可能性】
【００２３】
以下、本発明の具体例を実施例及び図面を用いて説明する。但し、以下に示す実施例は、
本発明の技術思想を具体化するためのナビゲーション装置を例示するものであり、本発明
をこのナビゲーション装置に特定することを意図するものではなく、特許請求の範囲に含
まれるその他の実施形態のナビゲーション装置にも等しく適用し得るものである。
【実施例１】
【００２４】
まず、図１のブロック図を用いて本ナビゲーション装置の構成ついて説明を行う。
【００２５】
入力手段１０は、使用者がナビゲーション装置１を操作するためのスイッチであり、ナビゲーション装置１本体に設けられた釦、又は後述する表示手段１１に表示された操作アイコンに触れることで操作が可能なタッチパネルとしてもよい。
【００２６】
表示手段１１は、ＬＣＤ等で構成され経路案内における地図や誘導経路などを表示する他、上記説明したように入力手段としても機能する。
【００２７】
スピーカ１２は、ナビゲーション装置１で行われる経路案内のうち音声データによる経路案内を出力する音声出力手段である。
【００２８】
現在位置検出手段１３は、ナビゲーション装置１の現在位置を特定するものであり、ＧＰＳセンサ(図示せず)、ジャイロセンサ(図示せず)、車速センサ(図示せず)等の出力に基づいて現在位置を特定するものである。
【００２９】
地図データ記憶手段１４は、ナビゲーション装置１で行われる経路案内に用いる地図データを記憶している。
【００３０】
ナビゲーション装置１は、歩行用ナビゲーション装置として機能するものであり、自動車に搭載された通常のナビゲーション装置のように車道を主の道とした地図データを記憶するものではなく、歩行者が移動で使用する主の道である歩道や、陸橋等のデータを記憶している他、本ナビゲーション装置１を所持した使用者が、電車やバスといった交通機関を利用して移動を行ったときのために、電車の路線情報やバスの路線情報も記憶されている。
【００３１】
経路探索手段１５は、現在位置検出手段１３により検出された現在位置から使用者が入力手段１０を介して入力した目的地までの経路を探索するものである。
【００３２】
速度算出手段１６は、使用者が入力手段１０を介して入力した目的地までの距離と、所定時間毎に現在位置検出手段１３により検出される現在位置とに基づき、本ナビゲーション装置１を所持した歩行者の移動速度を算出するものであり、速度算出手段１６は、所定時間毎に算出した移動速度の平均移動速度も算出し、算出された平均移動速度は記憶手段１７に記憶される。
【００３３】
記憶手段１７に記憶される平均移動速度は、その都度、速度算出手段１６において算出される移動速度及び平均移動速度を記憶する他、前回ウォ−キングモード時において速度算出手段１６において算出された平均移動速度も記憶している。
【００３４】
制御手段１８は、図示しないＲＯＭに記憶された制御プログラムに基づきナビゲーション装置１内の各部を制御する。
【００３５】
尚、本ナビゲーション装置１における経路探索手段１５で行われる経路探索は、現在位置から目的地までの最短経路を探索する通常の経路探索モードと、使用者が入力手段１０を介して経路探索における探索条件の入力を行ったときに実行されるウォ−キングモードがある。
【００３６】
ウォ−キングモードとは、使用者が現在位置から目的地までの経路において健康を考慮してウォーキングを行いたいと考えたときに実行されるモードであり、使用者が、入力手段１０を介して所望する歩行時間（例えば３０分）を入力すると、経路探索手段１５は、３０分かけて目的地に到着する経路の探索を行うものである。
【００３７】
このとき経路探索手段１５は、使用者が入力手段１５を介して入力した目的地までの距離と、記憶手段１７に記憶されている前回ウォ−キングモード時の平均移動速度とに基づき、使用者が入力した所望する歩行時間で目的地に到着する経路の探索を行う。
【００３８】
また、上記実施例において通常の経路探索モードは、現在位置から目的地までの最短経路を探索すると説明したがこれに限ることはなく、例えば、現在位置から目的地までの経路上で回避したい地点（例えば渋滞が予想される地点）等の登録を行ったり、目的地に到着するまでに立ち寄りたい地点（例えばコンビニ）等の登録を行ったりもできる。
【００３９】
次に本携帯用ナビゲーション装置１における制御手段１８の制御動作を図２のフローチャートを用いて説明する。
【００４０】
使用者が入力手段１０を介して目的地入力要求を行うと(ステップＳ１)、次にウォ−キングモードが設定されたか否かの検出を行う(ステップＳ２)。
【００４１】
ステップＳ１の処理において、目的地の入力がなかったときは、使用者より目的地の入力があるまで待機状態となる。
【００４２】
ウォ−キングモードの設定は、図３に示すように、目的地設定画面の中に設けられたウォ−キングモードを選択する選択アイコンを使用者により押下されることで、ナビゲーション装置１における経路探索モードがウォーキングモードに設定される。
尚、ウォーキングモードの設定は、図３に示したようにアイコンの中にウォ−キングモードを選択するアイコンを設ける他、図４に示すように、ウォ−キングモードを設定するか否かを使用者に問うメッセージを目的地設定画面に重畳させて表示するようにしてもよい。
【００４３】
ステップＳ２の処理においてウォ−キングモードに設定されると、使用者は、図５に示した目的地設定画面に表示された操作アイコンを用いて所望する目的地の入力を行う。
【００４４】
使用者により目的地の入力が行われると、次に表示手段１１には図６に示すように歩行時間の設定を使用者に要求する設定画面が表示され、使用者は、図６に示す表示手段１１に表示された選択アイコンを押下することで所望する歩行時間の設定を行う(ステップＳ３)。
【００４５】
尚、図６は、ステップＳ３において使用者により設定される歩行時間の設定画面を示しており、図６には、歩行時間を選択する選択アイコンが３つ表示されており、時間の割り当ては夫々、２０分・３０分・４０分と設定してある。
【００４６】
この時間の算出方法は、現在位置から使用者が入力手段１０を介して入力した目的地までの距離と、記憶手段１７に記憶されている前回ウォ−キングモード時の平均移動速度から算出した目的地までにかかる最低時間を基準として、この目的地までにかかる最低時間に、例えば１０分ずつ足した数字を所定数、設定アイコンとして表示手段１１に表示するようにする。
【００４７】
このような算出方法をとる理由は、テンキー等を用いて使用者に歩行時間を自由に設定させる方法をとってしまうと、現在位置から目的地までの歩行時間として不可能な時間（例えば、最低２０分かかる経路において歩行時間を１５分と設定）を設定されてしまう可能性があるからである。
【００４８】
但し、テンキーを用いて使用者が歩行時間を自由に設定するときは、上記説明した目的地までにかかる最低時間以上の時間のみ設定可能とする。
【００４９】
また、使用者により歩行時間の設定が行われたとき、設定された経路における道路データとの関係上、経路探索手段１５における探索が必ずしも使用者が設定した歩行時間と一致するとは限らず、このようなときは、使用者が設定した歩行時間に最も近い歩行時間となる経路を探索するようにし、時間が一致していない旨を表示手段１１に表示、又はスピーカより音声報知するようにしてもよい。
【００５０】
ステップＳ３の処理において、使用者により歩行時間が設定されると、経路探索手段１５は、使用者により設定された歩行時間で設定された目的地に到着する経路を算出する(ステップＳ４)。
【００５１】
ステップＳ４の処理において、経路探索手段１５は、地図データ記憶手段１７に記憶された地図データと、ステップＳ１の処理において設定された目的地までの距離と、記憶手段１７に記憶された平均移動速度に基づき、使用者が入力した歩行時間で目的地に到着する経路の探索を行う。
【００５２】
尚、経路探索手段１５における経路探索に用いる移動速度は、記憶手段１７に記憶されていると説明したが、これに限ることはなく、使用者が入力手段１１を介して移動速度の入力を行う方法をとってもよい。
【００５３】
また、ステップＳ４の処理において経路探索手段１５により探索される経路は、必ずしも一つとは限らず、探索された経路が複数存在することもあり、このようなときは、表示手段１１に探索された経路すべてを表示し、使用者が自由に経路の選択をできるようにする(ステップＳ５)。
【００５４】
ステップＳ４の処理において探索された経路が一つしかなかったときは、ステップＳ５の処理は行わずステップＳ６の処理へと進む。
【００５５】
ステップＳ５の処理において、使用者により経路の選択が行われると、経路案内を開始する(ステップＳ６)。
【００５６】
ステップＳ６の処理において経路案内を開始すると、次に、目的地に到着したか否かの検出を行い(ステップＳ７)、目的地に到着すれば案内を終了する。
【００５７】
また、ステップＳ７の処理において、目的地に到着していないという検出をすると、ステップＳ６の処理に戻り経路案内を継続する。
【００５８】
尚、本実施ではウォ−キングモードに設定されたことを前提として説明を行ったが、ステップＳ２の処理において、ウォ−キングモードに設定されなかったときは、通常の経路探索モードとなり、経路探索手段１５において現在位置から目的地までを最短で結ぶ経路探索が行われる(ステップＳ８)。
【００５９】
ステップＳ８の処理において経路探索が行われると、ステップＳ９の処理において経路案内を開始され、次に目的地に到着したか否かの検出を行い(ステップＳ１０)、ステップＳ１０の処理において目的地に到着したことを検出すると経路案内を終了し、ステップＳ１０の処理において目的地に到着していないことが検出されると、ステップＳ９の処理に戻り経路案内を継続して行う。
【実施例２】
【００６０】
実施例１では、使用者が入力手段１０を介して入力した目的地までの距離と、記憶手段１７に記憶された前回ウォ−キングモード時の平均移動速度とに基づき、使用者が入力した歩行時間で目的地に到着する経路を探索すると説明したが、実施例２では、使用者が所望する歩行時間ではなく、所望する歩行距離の入力を行うことで経路探索を行うナビゲーション装置１について図７のフローチャートを用いて説明を行う。
【００６１】
尚、図７のフローチャートにおけるステップＳ１１〜ステップＳ１２の処理、ステップＳ１４〜ステップＳ２０は、それぞれ図２のフローチャートにおけるステップＳ１〜ステップＳ２、ステップＳ４〜ステップＳ１０の処理と同様の処理であり、図７におけるステップＳ１３の処理と図２におけるステップＳ３の処理とが異なる処理となっている。
【００６２】
よって、以下、ステップＳ１３について説明を行うが、それ以外の処理に関しては図２の処理と同様であるので省略する。
【００６３】
ステップＳ１３の処理において、使用者は、入力手段１０を介して歩数と歩幅の入力を行う。
【００６４】
歩数の入力は、図８に示すように表示手段１１にテンキーが表示され、使用者はこのテンキーを押下することで所望する歩数の入力を行うことができる。
【００６５】
歩数の入力が行われると、次に歩幅の入力を行う。
【００６６】
図９は歩幅を入力する画面を示しており、図９に示す表示手段１１には、歩幅を選択するアイコンが３つ表示されており、数値の割り当ては夫々、４０ｃｍ・５０ｃｍ・６０ｃｍとなっているがこれに限ることはなく、アイコンの数も使用者が予め設定可能とする。
【００６７】
尚、表示手段１１に表示されたアイコンの数値は、使用者が予め性別の入力、及び／又は年齢の入力を行うことで、異なる数値を表示させるようにしてもよい。
【００６８】
ステップＳ１３の処理において、歩数と歩幅の入力が行われると、入力された歩数と歩幅に基づき距離が算出され（例えば、歩数１万歩×歩幅６０ｃｍ＝６ｋｍ）ここで算出された距離が、使用者が所望する距離となり、経路探索手段１５は、算出された距離で目的地に到着する経路を探索する。
【００６９】
以上説明したように、本願発明のナビゲーション装置は、使用者が歩行時において使用するものであり、使用者が健康を考慮しウォ−キングを行いたいと考えたとき、忙しくて多くの時間をとれない人であっても空いた時間を見つけて、更に使用者が望む経路においてウォ−キングを行うことができる経路を探索し使用者に提供することができるものであり、使用者は、本ナビゲーション装置を用いることで自身の健康管理を行うことができる。
【図面の簡単な説明】
【００７０】
【図１】ナビゲーション装置１の構成を示すブロック図である。
【図２】実施例１における制御手段１８の制御動作を示したフローチャート図である。
【図３】ナビゲーション装置１において、ウォ−キングモード選択アイコンを設けた目的地設定画面を示した図である。
【図４】ナビゲーション装置１において、目的地設定画面表示時にウォ−キングモード切り替えを促すメッセージを表示したときの図である。
【図５】ナビゲーション装置１における目的地設定画面を示した図である。
【図６】ナビゲーション装置１において、使用者が所望する歩行時間の設定を行う設定画面を示した図である。
【図７】実施例２における制御手段１８の制御動作を示したフローチャート図である。
【図８】ナビゲーション装置１において、使用者が歩数の設定を行う設定画面を示した図である。
【図９】ナビゲーション装置１において、使用者が歩幅の設定を行う設定画面を示した図である。
【符号の説明】
【００７１】
１・・・ナビゲーション装置
１０・・入力手段
１１・・表示手段
１２・・スピーカ
１３・・現在位置検出手段
１４・・地図データ記憶手段
１５・・経路探索手段
１６・・速度算出手段
１７・・記憶手段
１８・・制御手段
【図１】
2008241416.tif 000003
【図２】
2008241416.tif 000004
【図３】
2008241416.tif 000005
【図４】
2008241416.tif 000006
【図５】
2008241416.tif 000007
【図６】
2008241416.tif 000008
【図７】
2008241416.tif 000009
【図８】
2008241416.tif 000010
【図９】
2008241416.tif 000011